(57)【要約】【課題】画像再生装置から入力される字幕等のＯＳＤ付きの動画像に対して、画像表示装置で表示可能なような変換処理するときの画質劣化を防止する画像表示システムを提供する。【解決手段】この画像表示システムは、記録メディアや蓄積装置からデータを読み取って、読み取ったデータから動画像を生成し、読み取ったデータからＯＳＤ画像や必要に応じて表示するＯＳＤ画像を生成し、これらの動画像とＯＳＤ画像とを別々に外部へ出力する画像再生装置と、外部から動画像とＯＳＤ画像をそれぞれ入力し、この動画像とＯＳＤ画像とをそれぞれ変換処理し、変換されたそれぞれの動画像とＯＳＤ画像を重畳して表示デバイスへ表示する画像表示装置とから構成されている。【選択図】図１
2008053965.tif 000002
【特許請求の範囲】
【請求項１】
画像再生装置と画像表示装置とからなる画像表示システムであって、
前記画像再生装置は、記録メディアや蓄積装置からデータを読み取るデータ読取手段と、前記データ読取手段で読み取ったデータから動画像を生成する動画像生成手段と、前記データ読取手段で読み取ったデータからＯＳＤ画像を生成する、あるいは、前記画像再生装置が必要に応じて表示するＯＳＤ画像を生成するＯＳＤ画像生成手段と、前記動画像生成手段で生成した動画像を外部に出力する動画像出力手段と、前記ＯＳＤ画像生成手段で生成したＯＳＤ画像を外部へ出力するＯＳＤ画像出力手段とを備え、
前記画像表示装置は、前記画像再生装置の動画像出力手段で外部に出力された動画像を入力する動画像入力手段と、前記画像再生装置のＯＳＤ画像出力手段で外部に出力されたＯＳＤ画像を入力するＯＳＤ画像入力手段と、前記動画像入力手段で入力した動画像を変換処理する動画像処理手段と、前記ＯＳＤ画像入力部で入力したＯＳＤ画像を変換処理するＯＳＤ画像処理手段と、前記動画像処理手段で処理された動画像と、前記ＯＳＤ画像処理手段で処理されたＯＳＤ画像とを重畳して画像データを作成する合成処理部と、前記合成処理部で動画像とＯＳＤ画像を重畳した画像データを出力する表示デバイスとを備える
ことを特徴とする画像表示システム。
【請求項２】
請求項１に記載の画像表示システムにおいて、前記画像再生装置は、ネットワークを経由してデータを読み取るデータ読取手段を備え、前記データ読取手段で読み取ったデータを、前記動画像生成手段および前記ＯＳＤ画像生成手段に供給することを特徴とする画像表示システム。
【請求項３】
請求項１または２に記載の画像表示システムにおいて、前記画像再生装置のＯＳＤ画像出力手段は、前記ＯＳＤ画像生成手段で生成したＯＳＤ画像を画像信号のまま外部に出力することを特徴とする画像表示システム。
【請求項４】
請求項１または２に記載の画像表示システムにおいて、前記画像再生装置のＯＳＤ画像生成手段は、ＯＳＤ画像をＪＰＥＧ、ＰＮＧおよびＭＰＥＧのいずれかの符号化方式で符号化することを特徴とする画像表示システム。
【請求項５】
請求項１または２に記載の画像表示システムにおいて、前記画像再生装置のＯＳＤ画像生成手段は、ＯＳＤ画像を生成するための予め定められた描画命令と必要なデータとからなる一連のデータ列を生成することを特徴とする画像表示システム。
【請求項６】
請求項１または２に記載の画像表示システムにおいて、前記画像再生装置のＯＳＤ画像生成手段は、ＯＳＤ画像を生成するためのＢＭＬ言語記述を生成することを特徴とする画像表示システム。
【請求項７】
請求項１または２に記載の画像表示システムにおいて、前記画像再生装置のＯＳＤ画像出力手段は、ＩＥＥＥ１３９４規格に則った信号を出力することを特徴とする画像表示システム。
【請求項８】
請求項１または２に記載の画像表示システムにおいて、前記画像再生装置のＯＳＤ画像出力手段は、ＵＳＢ規格に則った信号を出力することを特徴とする画像表示システム。
【請求項９】
請求項１または２に記載の画像表示システムにおいて、前記画像表示装置の動画像処理手段は、インターレース−プログレッシブ変換処理を行うことを特徴とする画像表示システム。
【請求項１０】
請求項１または２に記載の画像表示システムにおいて、前記画像表示装置の動画像処理手段は、解像度変換処理を行うことを特徴とする画像表示システム。
【請求項１１】
請求項１または２に記載の画像表示システムにおいて、前記画像表示装置の動画像処理手段は、フレームレート変換処理を行うことを特徴とする画像表示システム。
【請求項１２】
請求項１または２に記載の画像表示システムにおいて、前記画像表示装置のＯＳＤ画像処理手段は、解像度変換処理を行うことを特徴とする画像表示システム。
【請求項１３】
請求項１または２に記載の画像表示システムにおいて、前記画像表示装置のＯＳＤ画像処理手段は、ＪＰＥＧ、ＰＮＧおよびＭＰＥＧのいずれかの符号化方式で符号化されたデータを復号することを特徴とする画像表示システム。
【請求項１４】
請求項１または２に記載の画像表示システムにおいて、前記画像表示装置のＯＳＤ画像処理手段は、ＯＳＤ画像を生成するためのあらかじめ定められた描画命令と必要なデータとからなる一連のデータ列を解釈してＯＳＤ画像を描画することを特徴とする画像表示システム。
【請求項１５】
請求項１または２に記載の画像表示システムにおいて、前記画像表示装置のＯＳＤ画像処理手段は、ＢＭＬ言語記述を解釈してＯＳＤ画像を描画することを特徴とする画像表示システム。
【請求項１６】
記録メディアや蓄積装置からデータを読み取るデータ読取手段と、前記データ読取手段で読み取ったデータから動画像を生成する動画像生成手段と、前記データ読取手段で読み取ったデータからＯＳＤ画像を生成する、あるいは、前記画像再生装置が必要に応じて表示するＯＳＤ画像を生成するＯＳＤ画像生成手段と、前記動画像生成手段で生成した動画像を外部に出力する動画像出力手段と、前記ＯＳＤ画像生成手段で生成したＯＳＤ画像を外部へ出力するＯＳＤ画像出力手段とを備えることを特徴とする画像再生装置。
【請求項１７】
画像再生装置から外部に出力された動画像を入力する動画像入力手段と、前記画像再生装置から外部に出力されたＯＳＤ画像を入力するＯＳＤ画像入力手段と、前記動画像入力手段で入力した動画像を変換処理する動画像処理手段と、前記ＯＳＤ画像入力部で入力したＯＳＤ画像を変換処理するＯＳＤ画像処理手段と、前記動画像処理手段で処理された動画像と、前記ＯＳＤ画像処理手段で処理されたＯＳＤ画像とを重畳して画像データを作成する合成処理部と、前記合成処理部で動画像とＯＳＤ画像を重畳した画像データを出力する表示デバイスとを備えることを特徴とする画画像表示装置。
【発明の詳細な説明】
【技術分野】
【０００１】
本発明は、画像再生システム、画像再生装置および画像表示装置に関し、具体的には、画像データとＯＳＤ画像を再生する画像再生装置と、該画像再生装置で再生された画像データを表示する画像表示装置とからなる画像再生システムに関する。
【背景技術】
【０００２】
画像表示装置としては、液晶ディスプレイや、プラズマディスプレイといったいわゆるフラットパネルディスプレイ装置があり、固定された解像度の画素から構成されている。
この解像度には、６４０×４８０画素から１３６６×７６８画素、１９２０×１０８０画素のサイズ、さらにそれ以上の高解像度のものがある。
また、画像信号の表示方法についても、いわゆるプログレッシブスキャンという順次走査方式で表示されるのが一般的である。
このように、画像表示装置には各種解像度をもつものがある。
【０００３】
また、画像表示装置へ入力される画像信号にも種々の解像度・走査方式のものが存在している。
例えば、標準規格の一つであるＮＴＳＣ（National Television System Committee）において規定される画像信号においては、解像度は７２０×４８０で飛び越し走査（インタレーススキャン）方式となっている。
また、ＢＳデジタルや地上デジタル放送で規定される画像信号では、下記に示すような４種類の方式が存在する。
【０００４】
（１）７２０×４８０画素、インターレーススキャン
（２）７２０×４８０画素、プログレッシブスキャン
（３）１２８０×７２０画素、プログレッシブスキャン
（４）１９２０×１０８０画素、インターレーススキャン
【０００５】
また、ＤＶＤ（Digital Versatile Disc）の再生においては、上記（１）の方式が基本であるが、ＨＤ−ＤＶＤ（High-Definition DVD）やＢＤ（Blu-ray Disc）においては、上記（１）〜（４）のような各種方式の信号が再生され得る。
【０００６】
さらには、インターネットなどのネットワークから受け取ったデータから画像を再生する場合には上記以外の解像度である可能性も考えられる。
【０００７】
これらの各種の信号を前記したような画像表示装置上に表示できるようにするため、画像表示装置内で適切に変換処理を行う必要がある。
解像度の変換処理については、画像信号の解像度から表示デバイスの解像度へ変換する（以下スケーリングという）必要がある。
また、走査方式の変換処理については、画像信号がインターレーススキャンのものはプログレッシブスキャンに変換する（以下Ｉ／Ｐ変換という）必要がある。
【０００８】
さらに、液晶ディスプレイにおける表示応答速度に起因する動きボケを改善したり、フィルム素材の画像のちらつきを改善したりする目的で、フレームレート変換（以下ＦＲＣという）を行う場合もある。
【０００９】
ところで、上記したようなデジタル放送や記録メディアの再生では、単に動画像だけではなく、字幕やメニュー画像などのいわゆるオンスクリーンディスプレイ（以下ＯＳＤという）画像を重畳して表示する場合がある。そのためスケーリング、Ｉ／Ｐ変換、ＦＲＣなどの処理を行う際には、動画像にＯＳＤ画像が重畳されていることを考慮した処理を行い、画質劣化を防ぐ工夫がなされている。
【００１０】
例えば、Ｉ／Ｐ変換においては、テレシネ変換により生成された画像信号に字幕等が挿入されたものを処理する場合に、この字幕等の挿入に起因する画質劣化を避けるため特許文献１の方式が提案されている。
【００１１】
また、デジタル放送におけるＯＳＤ画面の重畳に起因する画質劣化を避けるため、特許文献２の方式が提案されている。
【特許文献１】特開２００２−３６９１５６号公報
【特許文献２】特開２００３−３３８９９１号公報
【発明の開示】
【発明が解決しようとする課題】
【００１２】
特許文献２の方式では、デジタル放送に対しての画質改善を行うものであるが、画像表示装置に対しては、外部よりＤＶＤ等の再生画像信号を入力する場合もあり、この場合には字幕等のＯＳＤ画像はすでに合成されたものが入力されることになる。
【００１３】
このような従来の画像表示システムを図３のブロック図を用いて説明する。
画像再生装置２０１は、メディアデータ読取部２０５によって、ＤＶＤ、ＨＤ−ＤＶＤ、ＢＤ等の記録メディア２０３からデータを読み出す。また、蓄積データ読取部２０６により、ＨＤＤ等の蓄積装置２０４からデータを読み出す。
【００１４】
動画像生成部２０７では、読み出したデータから、例えば、ＤＶＤにおいてはＭＰＥＧ（Moving Picture Experts Group）方式により符号化されたデータを復号化して、動画像を生成する。
ＯＳＤ画像生成部２０８では、読み出したデータに字幕等のＯＳＤデータが含まれる場合には、このＯＳＤデータを抜き出してＯＳＤ画像を生成する。
また、ＯＳＤ画像生成部２０８では、画像再生装置２０１のメニュー画面などのＯＳＤ画像の生成も必要に応じて行う。
合成処理部２０９では、これら動画像生成部２０７とＯＳＤ画像生成部２０８で生成した動画像とＯＳＤ画像を重畳し、画像出力部２１０を介して外部へ出力する。
【００１５】
画像表示装置２０２では、画像入力部２１１を介して入力された画像を動画像処理部２１２で解像度変換やＩ／Ｐ変換やＦＲＣ等の処理を行って表示デバイス２１３に出力する。
【００１６】
特許文献１の方式においては、画面内を所定の領域に分割し、その領域単位で処理を切り替えるようにしている。このため、例えば、図４のように字幕が重畳された画像においては、字幕を含む領域とそうでない領域で処理が異なり、その境界付近において画像に動きがある場合には不自然さを生じる可能性がある。
【００１７】
また、特許文献２の方式では、デジタル放送を前提としたものであり、送信されるデータストリームから動画像情報とＯＳＤ画像情報とを分離することができたときに実現可能な方法である。しかし、図３で説明したように従来では、外部のＤＶＤプレーヤ等から入力される動画像とＯＳＤ画像が重畳されているため、このような外部入力の画像に対しては適用できない。
【００１８】
本発明は、上述の実情を考慮してなされたものであって、画像再生装置から入力される字幕等のＯＳＤ付きの動画像に対して、画像表示装置で表示可能なように変換処理するときに画質劣化を防止する画像表示システム、画像再生装置および画像表示装置を提供することを目的とする。
【課題を解決するための手段】
【００１９】
本発明は、上記課題を解決するために次のような構成をとる。
本発明の画像表示システムは、次に示す画像再生装置と画像表示装置とからなるものである。
【００２０】
前記画像再生装置は、ＤＶＤ、ＨＤ−ＤＶＤ、ＢＤ等の記録メディアやＨＤＤ等の蓄積装置からデータを読み取るデータ読取手段と、前記データ読取手段で読み取ったデータから動画像を生成する動画像生成手段と、前記データ読取手段で読み取ったデータからＯＳＤ画像を生成する、あるいは、前記画像再生装置が必要に応じて表示するＯＳＤ画像を生成するＯＳＤ画像生成手段と、前記動画像生成手段で生成した動画像を外部に出力する動画像出力手段と、前記ＯＳＤ画像生成手段で生成したＯＳＤ画像を外部へ出力するＯＳＤ画像出力手段とを備えている。
【００２１】
さらに、前記画像再生装置は、ホームネットワークやインターネットなどのネットワークを経由してデータを読み取るデータ読取手段を備え、前記データ読取手段で読み取ったデータを、前記動画像生成手段および前記ＯＳＤ画像生成手段に供給するようにしてもよい。
【００２２】
前記ＯＳＤ画像生成手段は、（１）ＯＳＤ画像をＪＰＥＧ、ＰＮＧおよびＭＰＥＧのいずれかの符号化方式で符号化する、（２）ＯＳＤ画像を生成するための予め定められた描画命令と必要なデータとからなる一連のデータ列を生成する、（３）ＯＳＤ画像を生成するためのＢＭＬ言語記述を生成する、のいずれの方式をとるものであってもよい。
また、前記ＯＳＤ画像出力手段は、前記ＯＳＤ画像生成手段で生成したＯＳＤ画像を画像信号のまま外部に出力したり、ＩＥＥＥ１３９４規格やＵＳＢ規格に則った信号を出力するものであってもよい。
【００２３】
次に、前記画像表示装置は、前記画像再生装置の動画像出力手段で外部に出力された動画像を入力する動画像入力手段と、前記画像再生装置のＯＳＤ画像出力手段で外部に出力されたＯＳＤ画像を入力するＯＳＤ画像入力手段と、前記動画像入力手段で入力した動画像を変換処理する動画像処理手段と、前記ＯＳＤ画像入力部で入力したＯＳＤ画像を変換処理するＯＳＤ画像処理手段と、前記動画像処理手段で処理された動画像と、前記ＯＳＤ画像処理手段で処理されたＯＳＤ画像とを重畳して画像データを作成する合成処理部と、前記合成処理部で動画像とＯＳＤ画像を重畳した画像データを出力する表示デバイスとを備えている。
【００２４】
前記動画像処理手段は、（１）インターレース−プログレッシブ変換処理、（２）解像度変換処理、（３）フレームレート変換処理のいずれかあるいは任意の組み合わせの変換処理を行うものであってもよい。
また、前記ＯＳＤ画像処理手段は、（１）解像度変換処理を行う、（２）ＪＰＥＧ、ＰＮＧ、ＭＰＥＧ等の符号化方式で符号化されたデータを復号する、（３）ＯＳＤ画像を生成するための予め定められた描画命令と必要なデータとからなる一連のデータ列を解釈してＯＳＤ画像を描画する、（４）ＢＭＬ言語記述を解釈してＯＳＤ画像を描画する、のいずれかの処理を行うものである。
【００２５】
また、上述した構成の画像再生装置の各手段や画像表示装置の各手段として、コンピュータを機能させるためのプログラムを作成しておき、または、そのプログラムをコンピュータ読み取り可能な記録媒体に記録しておき、これらのプログラムをコンピュータで実行することによっても上記課題を解決することができる。
【発明の効果】
【００２６】
本発明よれば、画像再生装置から入力される字幕等のＯＳＤ付きの動画像に対して、画像表示装置でＩ／Ｐ変換やフレームレート変換などの変換処理をして表示可能とするときの画質劣化を防止できる。
【発明を実施するための最良の形態】
【００２７】
以下、図面を参照して本発明に係る画像再生システム、画像再生装置および画像表示装置の好適な実施形態を説明する。
【００２８】
＜実施形態１＞
図１は、本発明の実施形態１に係る画像再生システムの構成を示すブロック図である。同図において、画像再生装置１０１は、メディアデータ読取部１０５、蓄積データ読取部１０６、動画像生成部１０７、ＯＳＤ画像生成部１０８、動画像出力部１０９、ＯＳＤ画像出力部１１０を含んで構成される。
画像表示装置１０２は、動画像入力部１１１、ＯＳＤ画像入力部１１２、動画像処理部１１３、ＯＳＤ画像処理部１１４、合成処理部１１５、表示デバイス１１６を含んで構成される。
【００２９】
まず、画像再生装置１０１について説明する。
記録メディア１０３は、例えば、ＤＶＤ、ＨＤ−ＤＶＤ、ＢＤ等の記録メディアであり、動画像を何らかの形で符号化したデータを含んでいる。また、蓄積装置１０４は、ＨＤＤ等の蓄積装置であり、動画像を何らかの形で符号化したデータを含んでいる。この符号化の形式としてはＭＰＥＧ方式による符号化が一般的に想定されるが、これに限定するものではない。
また、この記録メディア１０３または蓄積装置１０４には、字幕やメニューなどのＯＳＤ画像を生成するためのデータが含まれることもある。
【００３０】
メディアデータ読取部１０５や蓄積データ読取部１０６によって読み出されたデータは、必要に応じ必要なデータが分離され、動画像生成部１０７で動画像に変換される。
データがＭＰＥＧ方式により符号化されている場合には、ＭＰＥＧの復号処理により動画像に再構成される。
【００３１】
動画像出力部１０９は、動画像生成部１０７で変換された動画像を、例えば、ＣＶＢＳ（Composite Video Baseband Signal）出力、Ｓ出力、Ｄ出力、コンポーネント出力などのアナログ出力や、ＤＶＩ（Digital Visual Interface）やＨＤＭＩ（High Definition Multimedia Interface）などのデジタル出力として外部へ出力する。
【００３２】
また、メディアデータ読取部１０５や蓄積データ読取部１０６によって読み出されたデータに、ＯＳＤ画像の生成用データを含んでおりそれを再生する場合や、画像再生装置１０１のメニュー画像や、その他必要に応じて操作者による指示により各種情報などをＯＳＤ画像として表示する場合、ＯＳＤ画像生成部１０８においてＯＳＤ画像を生成する。
【００３３】
ＯＳＤ画像出力部１１０は、ＯＳＤ画像生成部１０８で生成されたＯＳＤ画像を、次の方式で外部に出力する。
【００３４】
（１）動画像出力部１０９と同様に、アナログまたはデジタルの形式で画像信号としてそのまま出力する。
（２）ＯＳＤ画像の情報量を削減し、標準的なインターフェース規格にのっとった形で出力する。
（２−１）ＯＳＤ画像をＪＰＥＧ（Joint Photographic Experts Group）、ＰＮＧ（Portable Network Graphic）、ＭＰＥＧといった画像符号化方式で符号化して情報量を削減する。
（２−２）ＯＳＤ画像を表示装置側で再構成可能な形の描画命令やデータ列の形に変換することで情報量を削減する。この場合、画像再生装置と画像表示装置とで互いに解釈可能な描画命令と必要なデータの並びを定義しておき、これに従った描画命令とデータとからなるデータ列に変換してもよい。あるいは、デジタル放送で使用されているＢＭＬ（Broadcast Markup Language）に変換することも考えられ、この場合には、表示装置側がデジタル放送に対応しているものであれば、ＢＭＬによる描画機能は含まれていることになるので、別途描画命令などを定義する必要がないという利点がある。
（２−３）標準的なインターフェースは、ＩＥＥＥ１３９４、ＵＳＢ（Universal Serial Bus）などの規格に則って出力することが考えられる。
【００３５】
次に、画像表示装置１０２について説明する。
動画像入力部１１１は、ＣＶＢＳ（Composite Video Baseband Signal）入力、Ｓ入力、Ｄ入力、コンポーネント入力などのアナログ入力や、ＤＶＩ（Digital Visual Interface）やＨＤＭＩ（High Definition Multimedia Interface）などのデジタル入力として画像再生装置１０１のような外部から動画像を入力する。
【００３６】
動画像処理部１１３は、動画像入力部１１１で入力された動画像を当該画像表示装置１０２で扱う画像データへ変換処理する。
例えば、入力された画像がインターレース方式である場合には、Ｉ／Ｐ変換を行ってプログレッシブ画像に変換する。また、表示デバイス１１６の解像度に合わせて適切なスケーリングを行う。また、ＦＲＣ変換を行って、液晶ディスプレイにおける表示応答速度に起因する動きボケを改善したり、フィルム素材の画像のちらつきを改善したりする場合もある。
しかし、ＯＳＤ画像は別途ＯＳＤ画像処理部１１４で処理を行うため、ＯＳＤ画像が重畳されていることに起因するような画質の劣化は生じない。
【００３７】
さらに、ＯＳＤ画像入力部１１２は、画像再生装置１０１のような外部からＯＳＤ画像を入力する。
ＯＳＤ画像処理部１１４は、ＯＳＤ画像入力部１１２で入力されたＯＳＤ画像を当該画像表示装置１０２で扱うＯＳＤ画像データへ変換処理する。
例えば、画像データとして入力されている場合には、表示デバイス１１６に合わせて適切なスケーリングを行う。
あるいは、ＯＳＤ画像が上記したような形式で符号化されていた場合には、復号処理を行う。また、予め定義された描画命令とデータの並びまたはＢＭＬのような形式になっていた場合には、解釈・描画処理を行う。
さらに、必要に応じて表示デバイス１１６の解像度に合わせてスケーリングを行う。
【００３８】
そして、合成処理部１１５は、動画像処理部１１３で変換処理された動画像と、ＯＳＤ画像処理部１１４で適切に処理されたＯＳＤ画像の重畳を行って、表示デバイス１１６へ出力する。
【００３９】
このように、本実施形態１を構成したことにより、動画像、ＯＳＤ画像それぞれに最適な処理を行ってから合成処理を行うことが可能となるため、画像再生装置から動画像とＯＳＤ画像を重畳した画像データを画像表示装置に入力する場合に比べて、高画質な表示が可能となる。
【００４０】
＜実施形態２＞
図２は、本発明の実施形態２に係る画像再生システムの構成を示すブロック図である。同図において、画像再生装置１０１は、メディアデータ読取部１０５、蓄積データ読取部１０６、動画像生成部１０７、ＯＳＤ画像生成部１０８、動画像出力部１０９、ＯＳＤ画像出力部１１０、データ読取部１１７を含んで構成される。
画像表示装置１０２は、動画像入力部１１１、ＯＳＤ画像入力部１１２、動画像処理部１１３、ＯＳＤ画像処理部１１４、合成処理部１１５、表示デバイス１１６を含んで構成される。同図において、上述した実施形態１の図１と同じ部分には、同一の符号を付して説明を省略する。図２において、図１と異なる点は、ネットワークを介して保持されたデータを読み取るデータ読取部１１７を備える点である。
【００４１】
データ読取部１１７は、ネットワーク（例えば、ホームネットワーク（家庭内ＬＡＮ）やインターネット等）を経由して接続された別のＡＶ機器やコンピュータに置かれているデータを読み出して、動画像を動画像生成部１０７へ供給する。
また、字幕やメニューなどのＯＳＤ画像を生成するためのデータがある場合には、生成用データをＯＳＤ画像生成部１０８へ供給する。さらに、画像再生装置１０１のメニュー画像や、その他必要に応じて操作者による指示により各種情報などをＯＳＤ画像として表示する場合には、それらの情報をＯＳＤ画像生成部１０８へ供給する。
これ以降、実施形態１と同様にして、画像再生装置１０１から画像表示装置１０２へ出力された動画像とＯＳＤ画像を、画像表示装置１０２で合成して表示デバイス１１６へ出力する。
【００４２】
このように、本実施形態２を構成したことにより、動画像、ＯＳＤ画像それぞれに最適な処理を行ってから合成処理を行うことが可能となるため、画像再生装置から動画像とＯＳＤ画像を重畳した画像データを画像表示装置に入力する場合に比べて、高画質な表示が可能となる。
【００４３】
尚、本発明の実施形態は、上記の画像再生装置の各部や画像表示装置の各部をコンピュータプログラム化し、それぞれのコンピュータプログラムを画像再生装置および画像表示装置へインストールして実行することでも実現できる。また、このコンピュータプログラムを着脱可能な記録媒体に記録したり、ネットワークを介してダウンロードすることにより、移送が簡単になり容易に実施することができる。
【００４４】
また、本発明は上述した実施形態に限定されず、本発明の要旨を逸脱しない範囲内で各種の変形、修正が可能であるのは勿論である。
【図面の簡単な説明】
【００４５】
【図１】本発明の実施形態１に係る画像再生システムの構成を示すブロック図である。
【図２】本発明の実施形態２に係る画像再生システムの構成を示すブロック図である。
【図３】従来の画像再生システムの構成を示すブロック図である。
【図４】Ｉ／Ｐ変換による画質劣化の例を示すための図である。
【符号の説明】
【００４６】
１０１…画像再生装置、１０２…画像表示装置、１０３…記録メディア、１０４…蓄積装置、１０５…メディアデータ読取部、１０６…蓄積データ読取部、１０７…動画像生成部、１０８…ＯＳＤ画像生成部、１０９…動画像出力部、１１０…ＯＳＤ画像出力部、１１１…動画像入力部、１１２…ＯＳＤ画像入力部、１１３…動画像処理部、１１４…ＯＳＤ画像処理部、１１５…合成処理部、１１６…表示デバイス、１１７…データ読取部、２０１…画像再生装置、２０２…画像表示装置、２０３…記録メディア、２０４…蓄積装置、２０５…メディアデータ読取部、２０６…蓄積データ読取部、２０７…動画像生成部、２０８…ＯＳＤ画像生成部、２０９…合成処理部、２１０…画像出力部、２１１…画像入力部、２１２…動画像処理部、２１３…表示デバイス。
【図１】
2008053965.tif 000003
【図２】
2008053965.tif 000004
【図３】
2008053965.tif 000005
【図４】
2008053965.tif 000006